(57)【要約】【課題】放送受信端末上で非リンクコンテンツを視聴する時、非リンク状態を表す画面表示に、コンテンツおよび端末の情報を付加し、非リンクコンテンツであること以外の情報を提供することで視聴者の利便性を高める。【解決手段】非リンクとは、電波産業界がＡＲＩＢ  ＴＲ−Ｂ１４第３編５章に定める「受信機が通信のＢＭＬコンテンツみを受信再生している状態」で、この状態では、非リンクであることを指定した領域内に、受信機側で任意に表示するように定められている。このシステムは、非リンクコンテンツを視聴可能なテレビまたは、セットトップボックスに組み込まれ、非リンクコンテンツを視聴する際に、情報取得部で各情報（コンテンツのタイトル、ＳＳＬ通信状態、通信状態、現在時刻等）を入手し、その情報を自動あるいはユーザーの指示に従って、非リンク表示管理部が、文字列あるいは画像に変換し表示する。【選択図】図１
2005151101.tif 000002
【特許請求の範囲】
【請求項１】
放送受信機能とデータ放送受信機能とＩＰ通信機能と映像出力機能を備え、視聴しているコンテンツのタイトル情報をコンテンツから取得し、非リンク状態において受信機が描画を許される範囲に、その情報を出力することを特徴とする情報表示装置。
【請求項２】
放送受信機能とデータ放送受信機能とＩＰ通信機能と映像出力機能を備え、視聴しているコンテンツのＳＳＬ通信状態を判別し、非リンク状態において受信機が描画を許される範囲に、その情報を出力することを特徴とする情報表示装置。
【請求項３】
放送受信機能とデータ放送受信機能とＩＰ通信機能と映像出力機能を備え、視聴しているコンテンツの通信のデータ取得状態（速度、取得済み情報量等）を判断し、非リンク状態において受信機が描画を許される範囲に、その情報を出力することを特徴とする情報表示装置。
【請求項４】
放送受信機能とデータ放送受信機能とＩＰ通信機能と映像出力機能を備え、端末、あるいは通信から現在時刻を入手し、非リンク状態において受信機が描画を許される範囲に、その情報を出力することを特徴とする情報表示装置。
【請求項５】
放送受信機能とデータ放送受信機能とＩＰ通信機能と映像出力機能を備え、非リンク状態において受信機が描画を許される範囲に描画する情報をユーザーの指示によって制御しながら出力することを特徴とする情報表示装置。
【発明の詳細な説明】
【技術分野】
【０００１】
本発明は、コンテンツの情報を表示する情報表示装置に関するもので、特に、非リンクコンテンツを視聴する際に、受信機側で任意の表示が許される範囲に自動的あるいはユーザーの指示に従い、さまざまな情報（コンテンツのタイトル、ＳＳＬ通信状態、通信状態、現在時刻等）を表示する機能を備えたテレビおよびセットトップボックスに関するものである。
【背景技術】
【０００２】
従来、この種の情報表示装置としては、例えば、特許文献１に記載されているようなものがあった。これは、コンテンツ内の文書情報から関連情報や属性情報を抽出し、それら情報によりデータベースを構築してユーザーに情報を提供しようとするものである。
【特許文献１】特開２００１−３１２５１５号公報
【発明の開示】
【発明が解決しようとする課題】
【０００３】
非リンクとは、電波産業界がＡＲＩＢ  ＴＲ−Ｂ１４第３編５章に定める「受信機が通信のＢＭＬコンテンツみを受信再生している状態」で、この状態では、非リンクであることを指定した領域内に、受信機側で任意に表示するように定められている。
【０００４】
しかし上記の従来技術では、非リンクコンテンツ視聴時に非リンクのコンテンツであることを示すことはできても、それ以外の情報を提供する構成とはなっていない。
【０００５】
そこで、本発明は、非リンク状態であること以外の視聴者にとって有益な情報を提供することを目的とする。
【課題を解決するための手段】
【０００６】
上記問題点を解決するために、本発明の非リンク状態表示時のコンテンツ情報および端末情報表示機能を備えたテレビおよびセットトップボックスは、放送受信機能とデータ放送受信機能とＩＰ通信機能と映像出力機能という構成を備えたものである。
【発明の効果】
【０００７】
以上のように本発明は非リンク状態判定部と、非リンク情報管理部と、情報取得部と非リンク表示管理部を設けることにより、非リンク状態表示時のコンテンツ情報および端末情報を表示することができる。
【発明を実施するための最良の形態】
【０００８】
本発明の請求項１に記載の発明は、放送受信機能とデータ放送受信機能とＩＰ通信機能と映像出力機能を備え、視聴しているコンテンツのタイトル情報をコンテンツから取得し、非リンク状態において受信機が描画を許される範囲にその情報を出力することを特徴とするテレビおよびセットトップボックスであり、視聴しているコンテンツのタイトル情報をコンテンツから取得し、非リンク状態において受信機が描画を許される範囲にその情報を出力する作用を有する。
【０００９】
本発明の請求項２に記載の発明は、放送受信機能とデータ放送受信機能とＩＰ通信機能と映像出力機能を備え、視聴しているコンテンツのＳＳＬ通信状態を判別し、非リンク状態において受信機が描画を許される範囲にその情報を出力することを特徴とするテレビおよびセットトップボックスであり、視聴しているコンテンツのＳＳＬ通信状態を判別し、非リンク状態において受信機が描画を許される範囲にその情報を出力する作用を有する。
【００１０】
本発明の請求項３に記載の発明は、放送受信機能とデータ放送受信機能とＩＰ通信機能と映像出力機能を備え、視聴しているコンテンツの通信のデータ取得状態（速度、取得済み情報量等）を判断し、非リンク状態において受信機が描画を許される範囲にその情報を出力することを特徴とするテレビおよびセットトップボックスであり、視聴しているコンテンツの通信のデータ取得状態（速度、取得済み情報量等）を判断し、非リンク状態において受信機が描画を許される範囲にその情報を出力する作用を有する。
【００１１】
本発明の請求項４に記載の発明は、放送受信機能とデータ放送受信機能とＩＰ通信機能と映像出力機能を備え、端末、あるいは通信から現在時刻を入手し、非リンク状態において受信機が描画を許される範囲にその情報を出力することを特徴とするテレビおよびセットトップボックスであり、端末、あるいは通信から現在時刻を入手し、非リンク状態において受信機が描画を許される範囲にその情報を出力する作用を有する。
【００１２】
本発明の請求項５に記載の発明は、放送受信機能とデータ放送受信機能とＩＰ通信機能と映像出力機能を備え、非リンク状態において受信機が描画を許される範囲に描画する情報を視聴者の指示によって制御しながら出力することを特徴とするテレビおよびセットトップボックスであり、非リンク状態において受信機が描画を許される範囲に描画する情報を視聴者の指示によって制御しながら出力する作用を有する。
【００１３】
以下本発明の実施の形態について、図面を参照しながら説明する。
【００１４】
（実施の形態１）
図１は本発明の第１、第２、第３、第４、第５の請求項における非リンク状態表示時のコンテンツ情報および端末情報表示装置のブロック構成図を示すものである。
【００１５】
図１において、非リンク判定部１は現在視聴中のコンテンツが非リンクコンテンツであるかどうかの判定をおこなう部分であり、非リンク情報管理部２は取得したコンテンツ情報および端末情報の取得要求、管理をする部分であり、情報取得部３は表示に利用されるデータを非リンク情報管理部２からの要求に従い取得をおこなう部分であり、非リンク表示管理部４は非リンク情報管理部２で管理されたデータを表示用のデータに変換し表示をおこなう部分であり、５はその表示形式の一例である。
【００１６】
以上のように構成された非リンク状態表示時のコンテンツ情報および端末情報表示機能を備えたテレビおよびセットトップボックスについて、以下図１を用いてその動作を説明する。
【００１７】
まず非リンク判定部１で、視聴中のコンテンツが非リンク状態であることが判断されると、非リンク情報管理部２で表示に必要なデータを情報取得部３に対して取得要求する。情報取得部３は要求に従い各データを取得して、非リンク情報管理部２にデータを送る。
【００１８】
情報取得部３からのデータを受けた非リンク情報管理部２は、非リンク表示管理部４にそのデータを送りその表示を要求する。非リンク表示管理部４は受けたデータを適宜、文字列あるいは画像に変換し、実際の表示をおこなう。
【００１９】
以上のように本実施例によれば、非リンク状態表示時のコンテンツ情報および端末情報を表示することができる。
【００２０】
（実施の形態２）
図２は本発明の第１、第２、第３、第４の請求項における非リンク状態表示時のコンテンツ情報および端末情報表示機能を備えたテレビおよびセットトップボックスのフローチャートを示すものである。図２において、ＳＴ１は、図１の非リンク判定部１に含まれ、ＳＴ２は図１の非リンク情報管理部２に含まれ、ＳＴ３は図１の情報取得部３に含まれ、ＳＴ４は図１の非リンク表示管理部４に含まれる。
【００２１】
まずＳＴ１で現在視聴しているコンテンツが非リンクコンテンツであるかを判断し、非リンクであればＳＴ２で表示に必要なデータが全て取得できているかを判断し、もしデータが不足している場合には、ＳＴ３で必要なデータを取得し、ＳＴ２で再度、必要なデータが取得できたかを判断する。取得できていた場合には、ＳＴ４でそのデータを元に表示用のデータを作成し表示をおこなう。
【００２２】
以上のステップで構成される音声再生制御マイコンによって、非リンク状態表示時のコンテンツ情報および端末情報を表示することができる。
【００２３】
（実施の形態３）
図２のＡ以降のフローは、本発明の第５の請求項における非リンク状態において受信機が描画する情報を視聴者の指示によって制御しながら出力するテレビおよびセットトップボックスのフローチャートを示すものである。図２において、ＡはＳＴ４の表示を行った状態であり、ＳＴ５、ＳＴ６、ＳＴ７、ＳＴ８は全て図１の非リンク表示管理部４に含まれる。
【００２４】
図２のＡにおいて、情報表示の指示を受けた際に視聴者から画面表示項目の指定をおこなう場合には、ＳＴ５で表示項目の候補の中の最初の項目が視聴者からの表示指定にあるかどうかを判断し、指定があった場合にはＳＴ６で画面表示をおこない、指定が無かった場合にはその項目の表示を省略し、ＳＴ７で処理をおこなった表示項目が最後の表示項目かどうかの判断をおこない、最後の項目でなかった場合には、次の項目の表示判定をおこなうためにＳＴ８で判定する項目を次の候補に変更し、ＳＴ５から同様の処理をおこなう。
【００２５】
以上のステップで構成される視聴者の表示指定判定部により、非リンク時に描画する情報を視聴者の指示によって制御しながら出力することができる。
【産業上の利用可能性】
【００２６】
本発明にかかる非リンク状態表示時のコンテンツ情報および端末情報表示装置および方法は、以上のように本発明は非リンク状態判定部と、非リンク情報管理部と、情報取得部と非リンク表示管理部を設けることにより、非リンク状態表示時のコンテンツ情報および端末情報を表示することができる。ものであり、非リンクとは、電波産業界がＡＲＩＢ  ＴＲ−Ｂ１４第３編５章に定める「受信機が通信のＢＭＬコンテンツみを受信再生している状態」で、この状態では、非リンクであることを指定した領域内に、受信機側で任意に表示するように定められている。
【００２７】
本発明は、非リンクコンテンツを視聴する際に、受信機側で任意の表示が許される範囲に自動的あるいはユーザーの指示に従い、さまざまな情報（コンテンツのタイトル、ＳＳＬ通信状態、通信状態、現在時刻等）を表示する機能を備えたテレビおよびセットトップボックスに関するものである。等において有用である。
【図面の簡単な説明】
【００２８】
【図１】本発明の実施の形態における構成を示すブロック図
【図２】本発明の実施の形態における動作を示すフローチャート
【符号の説明】
【００２９】
１    非リンク判定部
２    非リンク情報管理部
３    情報取得部
４    非リンク表示管理部
５    表示形式の一例
【図１】
2005151101.tif 000003
【図２】
2005151101.tif 000004